【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
（ａ）冷媒と吸収剤との混合物の混合物を形成する吸収器と、
（ｂ）前記吸収器からの前記混合物を受け入れ、前記混合物を加熱して、前記吸収剤から蒸気形態で冷媒を分離すると共に前記冷媒蒸気の圧力を高める発生器と、
（ｃ）前記発生器からの前記蒸気を受け入れると共に、前記蒸気を加圧下で液体に凝縮する凝縮器と、
（ｄ）前記凝縮器から出る前記液体冷媒を通過させて前記液体の圧力を低下させ、もって液体冷媒と蒸気冷媒との混合物を形成する減圧装置と、
（ｅ）前記減圧装置を通過する液体冷媒と蒸気冷媒との前記混合物を受け入れて、残りの液体を気化させ、もって冷媒蒸気の第１および第２の部分を形成する蒸発器と、
（ｆ）前記冷媒蒸気の前記第１の部分を受け入れて、その圧力を高めると共に、前記冷媒蒸気の前記第１の部分を前記凝縮器に送る圧縮器と、
（ｇ）前記蒸発器から出る前記冷媒蒸気の前記第２の部分を、前記吸収器に送る流管路と、
を含むことを特徴とする温度調節装置。
【請求項２】
（ａ）冷媒と吸収剤との混合物の混合物を形成する吸収器と、
（ｂ）前記吸収器からの前記混合物を受け入れ、前記混合物を加熱して、前記吸収剤から蒸気形態で冷媒を分離すると共に前記冷媒蒸気の圧力を高める発生器と、
（ｃ）前記発生器からの前記蒸気を受け入れ、その圧力をさらに高める圧縮器と、
（ｄ）前記圧縮器からの前記蒸気を受け入れると共に、前記蒸気を加圧下で液体に凝縮する凝縮器と、
（ｅ）前記凝縮器から出る前記液体冷媒を通過させて、前記液体の圧力を低下させ、もって液体冷媒と蒸気冷媒との混合物を形成する減圧装置と、
（ｆ）前記減圧装置を通過する前記液体冷媒と蒸気冷媒との前記混合物を受け入れて、残りの液体を気化させて冷媒蒸気を形成する蒸発器と、
（ｇ）前記蒸発器から出る前記冷媒蒸気を前記吸収器に送る流管路と、
を含むことを特徴とする温度調節装置。
【請求項３】
前記凝縮器が、加熱されるべき物体、媒体若しくは空間に近接して配置されていること、または前記蒸発器が、冷却されるべき物体、媒体若しくは空間に近接して配置されていることを特徴とする請求項１または２に記載の装置。
【請求項４】
前記冷媒が、ヒドロフルオロカーボン、ヒドロクロロフルオロカーボン、クロロフルオロカーボン、フルオロカーボンからなる群の１つまたは複数の構成要素から選択されることを特徴とする請求項１または２に記載の装置。
【請求項５】
ヒドロフルオロカーボンが：ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）、フルオロエタン（ＨＦＣ−１６１）、クロロジフルオロメタン（ＨＣＦＣ−２２）、ジクロロジフルオロメタン（ＣＦＣ−１２）、パーフルオロメタン（ＦＣ−１４）、およびパーフルオロエタン（ＦＣ−１１６）からなる群から選択されることを特徴とする請求項１または２に記載の装置。
【請求項６】
前記吸収剤が、１つまたは複数のイオン性液体を含むことを特徴とする請求項１または２に記載の装置。
【請求項７】
請求項６に記載の装置であって、
前記イオン性液体が、
【化１】
2008541006.tif 000001
【化２】
2008541006.tif 000002
からなる群から選択されるカチオンを含み、
式中、Ｒ１、Ｒ２、Ｒ３、Ｒ４、Ｒ５およびＲ６は、各々独立に：
（ｉ）Ｈ；
（ｉｉ）ハロゲン；
（ｉｉｉ）任意選択的にＣｌ、Ｂｒ、Ｆ、Ｉ、ＯＨ、ＮＨ２およびＳＨからなる群から選択される少なくとも１つの構成要素で置換されていてもよい、−ＣＨ３、−Ｃ２Ｈ５、またはＣ３〜Ｃ２５直鎖、分枝鎖または環状アルカン若しくはアルケン；
（ｉｖ）任意選択的に、Ｃｌ、Ｂｒ、Ｆ、Ｉ、ＯＨ、ＮＨ２およびＳＨからなる群から選択される少なくとも１つの構成要素で置換されていてもよく、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分枝鎖または環状アルカン若しくはアルケン；
（ｖ）Ｃ６〜Ｃ２０非置換アリール、またはＯ、Ｎ、ＳｉおよびＳからなる群から独立に選択される１〜３個のヘテロ原子を有するＣ３〜Ｃ２５非置換ヘテロアリール；および
（ｖｉ）Ｃ６〜Ｃ２５置換アリール、またはＯ、Ｎ、ＳｉおよびＳからなる群から独立に選択される１〜３個のヘテロ原子を有するＣ３〜Ｃ２５置換ヘテロアリールであって、前記置換アリールまたは置換ヘテロアリールは、
１．任意選択的にＣｌ、Ｂｒ、Ｆ、Ｉ、ＯＨ、ＮＨ２およびＳＨからなる群から選択される少なくとも１つの構成要素で置換されていてもい、−ＣＨ３、−Ｃ２Ｈ５、またはＣ３〜Ｃ２５直鎖、分枝鎖または環状アルカン若しくはアルケン
２．ＯＨ
３．ＮＨ２、および
４．ＳＨ
からなる群から独立に選択される１〜３個の置換基を有するものである前記置換アリールまたは置換ヘテロアリール；
からなる群から選択され、
および
式中、Ｒ７、Ｒ８、Ｒ９、およびＲ１０は、各々独立に：
（ｖｉｉ）任意選択的にＣｌ、Ｂｒ、Ｆ、Ｉ、ＯＨ、ＮＨ２およびＳＨからなる群から選択される少なくとも１つの構成要素で置換されてもよい、−ＣＨ３、−Ｃ２Ｈ５、またはＣ３〜Ｃ２５直鎖、分枝鎖または環状アルカン若しくはアルケン；
（ｖｉｉｉ）任意選択的にＣｌ、Ｂｒ、Ｆ、Ｉ、ＯＨ、ＮＨ２およびＳＨからなる群から選択される少なくとも１つの構成要素で置換されていてもよく、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分枝鎖または環状アルカン若しくはアルケン；
（ｉｘ）Ｃ６〜Ｃ２５非置換アリール、またはＯ、Ｎ、ＳｉおよびＳからなる群から独立に選択される１〜３個のヘテロ原子を有するＣ３〜Ｃ２５非置換ヘテロアリール；
および
（ｘ）Ｃ６〜Ｃ２５置換アリール、またはＯ、Ｎ、ＳｉおよびＳからなる群から独立に選択される１〜３個のヘテロ原子を有するＣ３〜Ｃ２５置換ヘテロアリールであって；前記置換アリールまたは置換へテロアリールは、
（１）任意選択的にＣｌ、Ｂｒ、Ｆ、Ｉ、ＯＨ、ＮＨ２およびＳＨからなる群から選択される少なくとも１つの構成要素で置換されていてもよい、−ＣＨ３、−Ｃ２Ｈ５、またはＣ３〜Ｃ２５直鎖、分枝鎖または環状アルカン若しくはアルケン
（２）ＯＨ
（３）ＮＨ２、および
（４）ＳＨ
からなる群から独立に選択される１〜３個の置換基を有するものである前記置換アリールまたは置換ヘテロアリール；
からなる群から選択され、
式中、任意選択的に、Ｒ１、Ｒ２、Ｒ３、Ｒ４、Ｒ５、Ｒ６、Ｒ７、Ｒ８、Ｒ９、およびＲ１０の少なくとも２個は一緒になって、環状または二環式アルカニル若しくはアルケニル基を形成してもよいことを特徴とする装置。
【請求項８】
Ｒ１、Ｒ２、Ｒ３、Ｒ４、Ｒ５、Ｒ６、Ｒ７、Ｒ８、Ｒ９およびＲ１０のいずれか１つが、または２つ以上からなる任意の群が、Ｆ−を含むことを特徴とする請求項７に記載の装置。
【請求項９】
イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−および任意のフッ素化アニオンからなる群から選択されるアニオンを含むことを特徴とする請求項６に記載の装置。
【請求項１０】
（ａ）冷媒蒸気を吸収剤で吸収して混合物を形成する工程と、
（ｂ）前記混合物を加熱して、冷媒を蒸気形態で前記吸収剤から分離すると共に、前記冷媒蒸気の圧力を高める工程と、
（ｃ）前記冷媒蒸気を圧力下で液体に凝縮する工程と、
（ｄ）前記液体冷媒の圧力を低下させると共に、前記冷媒を気化させて冷媒蒸気の第１および第２の部分を形成する工程と、
（ｅ−１）冷媒蒸気の前記第１の部分の圧力を機械的に高め、次いで、工程（ｃ）を繰り返して冷媒蒸気の前記第１の部分を凝縮して液体にする工程と、
（ｅ−２）工程（ａ）を繰り返して、前記吸収剤で冷媒蒸気の前記第２の部分を再吸収する工程と、
を含むことを特徴とする物体、媒体または空間の温度を調節するための方法。
【請求項１１】
（ａ）冷媒蒸気を吸収剤で吸収して混合物を形成する工程と、
（ｂ）前記混合物を加熱して、冷媒を蒸気形態で前記吸収剤から分離すると共に、前記冷媒蒸気の圧力を高める工程と、
（ｃ）前記冷媒蒸気の圧力を機械的にさらに高める工程と、
（ｄ）前記冷媒蒸気を圧力下で液体に凝縮する工程と、
（ｅ）前記液体冷媒の圧力を低下させると共に、前記冷媒を気化させて冷媒蒸気を形成する工程と、
（ｆ）工程（ａ）を繰り返して、前記冷媒蒸気を前記吸収剤で再吸収する工程と、
を含むことを特徴とする物体、媒体または空間の温度を調節するための方法。
【請求項１２】
工程（ｄ）において、前記冷媒蒸気が前記物体、媒体または空間に近接して液体に凝縮され、もって前記物体、媒体または空間が加熱される、または工程（ｅ）において、液体冷媒が前記物体、媒体または空間に近接して気化されて冷媒蒸気が形成され、もって前記物体、媒体または空間が冷却されることを特徴とする請求項１０または１１に記載の方法。
【請求項１３】
工程（ｂ）において冷媒から分離された前記吸収剤が、その後の工程において使用するために再循環されることを特徴とする請求項１０または１１に記載の方法。
【請求項１４】
前記冷媒が、ヒドロフルオロカーボン、ヒドロクロロフルオロカーボン、クロロフルオロカーボン、フルオロカーボンからなる群の１種または複数種の構成要素を含むことを特徴とする請求項１０または１１に記載の方法。
【請求項１５】
前記吸収剤が１種または複数種のイオン性液体を含むことを特徴とする請求項１０または１１に記載の方法。
【手続補正２】
【補正対象書類名】明細書
【補正対象項目名】０４０３
【補正方法】変更
【補正の内容】
【０４０３】
【表１】
2008541006.tif 000003
以下に本明細書に記載の発明につき列記する。
１．
（ａ）冷媒と吸収剤との混合物の混合物を形成する吸収器と、
（ｂ）前記吸収器からの前記混合物を受け入れ、前記混合物を加熱して、前記吸収剤から蒸気形態で冷媒を分離すると共に前記冷媒蒸気の圧力を高める発生器と、
（ｃ）前記発生器からの前記蒸気を受け入れると共に、前記蒸気を加圧下で液体に凝縮する凝縮器と、
（ｄ）前記凝縮器から出る前記液体冷媒を通過させて前記液体の圧力を低下させ、もって液体冷媒と蒸気冷媒との混合物を形成する減圧装置と、
（ｅ）前記減圧装置を通過する液体冷媒と蒸気冷媒との前記混合物を受け入れて、残りの液体を気化させ、もって冷媒蒸気の第１および第２の部分を形成する蒸発器と、
（ｆ）前記冷媒蒸気の前記第１の部分を受け入れて、その圧力を高めると共に、前記冷媒蒸気の前記第１の部分を前記凝縮器に送る圧縮器と、
（ｇ）前記蒸発器から出る前記冷媒蒸気の前記第２の部分を、前記吸収器に送る流管路と、
を含むことを特徴とする温度調節装置。
２．
（ａ）冷媒と吸収剤との混合物の混合物を形成する吸収器と、
（ｂ）前記吸収器からの前記混合物を受け入れ、前記混合物を加熱して、前記吸収剤から蒸気形態で冷媒を分離すると共に前記冷媒蒸気の圧力を高める発生器と、
（ｃ）前記発生器からの前記蒸気を受け入れ、その圧力をさらに高める圧縮器と、
（ｄ）前記圧縮器からの前記蒸気を受け入れると共に、前記蒸気を加圧下で液体に凝縮する凝縮器と、
（ｅ）前記凝縮器から出る前記液体冷媒を通過させて、前記液体の圧力を低下させ、もって液体冷媒と蒸気冷媒との混合物を形成する減圧装置と、
（ｆ）前記減圧装置を通過する前記液体冷媒と蒸気冷媒との前記混合物を受け入れて、残りの液体を気化させて冷媒蒸気を形成する蒸発器と、
（ｇ）前記蒸発器から出る前記冷媒蒸気を前記吸収器に送る流管路と、
を含むことを特徴とする温度調節装置。
３．
前記凝縮器が、加熱されるべき物体、媒体または空間に近接して配置されていることを特徴とする前記１．に記載の装置。
４．
前記凝縮器が、加熱されるべき物体、媒体または空間に近接して配置されていることを特徴とする前記２．に記載の装置。
５．
前記蒸発器が、冷却されるべき物体、媒体または空間に近接して配置されていることを特徴とする前記１．に記載の装置。
６．
前記蒸発器が、冷却されるべき物体、媒体または空間に近接して配置されていることを特徴とする前記２．に記載の装置。
７．
前記冷媒が、ヒドロフルオロカーボン、ヒドロクロロフルオロカーボン、クロロフルオロカーボン、フルオロカーボン、Ｎ２、Ｏ２、ＣＯ２、ＮＨ３、Ａｒ、Ｈ２、Ｈ２Ｏ、および非フッ素化炭化水素からなる群の１つまたは複数の構成要素から選択され、前記非フッ素化炭化水素が、Ｃ１〜Ｃ４直鎖、分枝鎖または環状アルカンおよびＣ１〜Ｃ４直鎖、分枝鎖または環状アルケンからなる群から選択されることを特徴とする前記１．または２．に記載の装置。
８．
ヒドロフルオロカーボンが：ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）、およびフルオロエタン（ＨＦＣ−１６１）からなる群から選択されることを特徴とする前記７．に記載の装置。
９．
ヒドロクロロフルオロカーボンがクロロジフルオロメタン（ＨＣＦＣ−２２）であることを特徴とする前記７．に記載の装置。
１０．
クロロフルオロカーボンがジクロロジフルオロメタン（ＣＦＣ−１２）であることを特徴とする前記７．に記載の装置。
１１．
フルオロカーボンが、パーフルオロメタン（ＦＣ−１４）およびパーフルオロエタン（ＦＣ−１１６）からなる群から選択されることを特徴とする前記７．に記載の装置。
１２．
非フッ素化炭化水素が、メタン、エタン、エチレン、プロパン、シクロプロパン、プロペン、プロピレン、ブタン、ブテン、およびイソブタンからなる群から選択されることを特徴とする前記７．に記載の装置。
１３．
冷媒が、ＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＣＦＣ−２２、ＦＣ−１４、ＦＣ−１１６、ＣＦＣ−１２からなる群から選択されることを特徴とする前記７．に記載の装置。
１４．
前記吸収剤が、１つまたは複数のイオン性液体を含むことを特徴とする前記１．または２．に記載の装置。
１５．
前記吸収剤が、１つまたは複数のイオン性液体を含むことを特徴とする前記７．に記載の装置。
１６．
前記１４．に記載の装置であって、
前記イオン性液体が、
【化３】
2008541006.tif 000004
【化４】
2008541006.tif 000005
からなる群から選択されるカチオンを含み、
式中、Ｒ１、Ｒ２、Ｒ３、Ｒ４、Ｒ５およびＲ６は、各々独立に：
（ｉ）Ｈ；
（ｉｉ）ハロゲン；
（ｉｉｉ）任意選択的にＣｌ、Ｂｒ、Ｆ、Ｉ、ＯＨ、ＮＨ２およびＳＨからなる群から選択される少なくとも１つの構成要素で置換されていてもよい、−ＣＨ３、−Ｃ２Ｈ５、またはＣ３〜Ｃ２５直鎖、分枝鎖または環状アルカンまたはアルケン；
（ｉｖ）任意選択的に、Ｃｌ、Ｂｒ、Ｆ、Ｉ、ＯＨ、ＮＨ２およびＳＨからなる群から選択される少なくとも１つの構成要素で置換されていてもよく、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分枝鎖または環状アルカンまたはアルケン；
（ｖ）Ｃ６〜Ｃ２０非置換アリール、またはＯ、Ｎ、ＳｉおよびＳからなる群から独立に選択される１〜３個のヘテロ原子を有するＣ３〜Ｃ２５非置換ヘテロアリール；および
（ｖｉ）Ｃ６〜Ｃ２５置換アリール、またはＯ、Ｎ、ＳｉおよびＳからなる群から独立に選択される１〜３個のヘテロ原子を有するＣ３〜Ｃ２５置換ヘテロアリールであって；
１．任意選択的にＣｌ、Ｂｒ、Ｆ、Ｉ、ＯＨ、ＮＨ２およびＳＨからなる群から選択される少なくとも１つの構成要素で置換されていてもい、−ＣＨ３、−Ｃ２Ｈ５、またはＣ３〜Ｃ２５直鎖、分枝鎖または環状アルカンまたはアルケン
２．ＯＨ
３．ＮＨ２
４．ＳＨ
からなる群から独立に選択される１〜３個の置換基を有する前記置換アリールまたは置換ヘテロアリール；
からなる群から選択され、
および
式中、Ｒ７、Ｒ８、Ｒ９、およびＲ１０は、各々独立に：
（ｖｉｉ）任意選択的にＣｌ、Ｂｒ、Ｆ、Ｉ、ＯＨ、ＮＨ２およびＳＨからなる群から選択される少なくとも１つの構成要素で置換されてもよい、−ＣＨ３、−Ｃ２Ｈ５、またはＣ３〜Ｃ２５直鎖、分枝鎖または環状アルカンまたはアルケン；
（ｖｉｉｉ）任意選択的にＣｌ、Ｂｒ、Ｆ、Ｉ、ＯＨ、ＮＨ２およびＳＨからなる群から選択される少なくとも１つの構成要素で置換されていてもよく、Ｏ、Ｎ、ＳｉおよびＳからなる群から選択される１〜３個のヘテロ原子を含む、−ＣＨ３、−Ｃ２Ｈ５、またはＣ３〜Ｃ２５直鎖、分枝鎖または環状アルカンまたはアルケン；
（ｉｘ）Ｃ６〜Ｃ２５非置換アリール、またはＯ、Ｎ、ＳｉおよびＳからなる群から独立に選択される１〜３個のヘテロ原子を有するＣ３〜Ｃ２５非置換ヘテロアリール；
および
（ｘ）Ｃ６〜Ｃ２５置換アリール、またはＯ、Ｎ、ＳｉおよびＳからなる群から独立に選択される１〜３個のヘテロ原子を有するＣ３〜Ｃ２５置換ヘテロアリールであって；
（１）任意選択的にＣｌ、Ｂｒ、Ｆ、Ｉ、ＯＨ、ＮＨ２およびＳＨからなる群から選択される少なくとも１つの構成要素で置換されていてもよい、−ＣＨ３、−Ｃ２Ｈ５、またはＣ３〜Ｃ２５直鎖、分枝鎖または環状アルカンまたはアルケン
（２）ＯＨ
（３）ＮＨ２
（４）ＳＨ
からなる群から独立に選択される１〜３個の置換基を有する前記置換アリールまたは置換ヘテロアリール；
からなる群から選択され、
式中、任意選択的に、Ｒ１、Ｒ２、Ｒ３、Ｒ４、Ｒ５、Ｒ６、Ｒ７、Ｒ８、Ｒ９、およびＲ１０の少なくとも２個は一緒になって、環状または二環式アルカニルまたはアルケニル基を形成してもよいことを特徴とする装置。
１７．
Ｒ１、Ｒ２、Ｒ３、Ｒ４、Ｒ５、Ｒ６、Ｒ７、Ｒ８、Ｒ９およびＲ１０のいずれか１つが、または２つ以上からなる任意の群が、Ｆ−を含むことを特徴とする前記１６．に記載の装置。
１８．
イオン性液体が、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−および任意のフッ素化アニオンからなる群から選択されるアニオンを含むことを特徴とする前記１４．に記載の装置。
１９．
フッ素化アニオンが、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−、およびＦ−からなる群から選択されることを特徴とする前記１８．に記載の装置。
２０．
前記吸収剤が１種または複数種のイオン性液体を含み、冷媒が、約０．０５〜約９９．９５モルパーセントの冷媒と吸収剤との混合物を、前記蒸発器の温度から前記発生器の温度までの温度範囲にわたって、真空から臨界圧までの圧力で含むことを特徴とする前記７．に記載の装置。
２１．
冷媒と吸収剤との前記混合物が、潤滑剤、腐食防止剤、安定化剤および染料からなる群から選択される添加剤を含むことを特徴とする前記１．または２．に記載の装置。
２２．
冷蔵庫、冷凍庫、製氷機、エアコンディショナ、産業冷却システム、ヒータまたはヒートポンプとして製作されることを特徴とする前記１．または２．に記載の装置。
２３．
（ａ）冷媒蒸気を吸収剤で吸収して混合物を形成する工程と、
（ｂ）前記混合物を加熱して、冷媒を蒸気形態で前記吸収剤から分離すると共に、前記冷媒蒸気の圧力を高める工程と、
（ｃ）前記冷媒蒸気を圧力下で液体に凝縮する工程と、
（ｄ）前記液体冷媒の圧力を低下させると共に、前記冷媒を気化させて冷媒蒸気の第１および第２の部分を形成する工程と、
（ｅ−１）冷媒蒸気の前記第１の部分の圧力を機械的に高め、次いで、工程（ｃ）を繰り返して冷媒蒸気の前記第１の部分を凝縮して液体にする工程と、
（ｅ−２）工程（ａ）を繰り返して、前記吸収剤で冷媒蒸気の前記第２の部分を再吸収する工程と、
を含むことを特徴とする物体、媒体または空間の温度を調節するための方法。
２４．
工程（ｃ）において、前記冷媒蒸気が物体、媒体または空間に近接して液体に凝縮され、もって前記物体、媒体または空間が加熱されることを特徴とする前記２３．に記載の方法。
２５．
工程（ｄ）において、液体冷媒が前記物体、媒体または空間に近接して気化して冷媒蒸気が形成され、もって前記物体、媒体または空間が冷却されることを特徴とする前記２３．に記載の方法。
２６．
（ａ）冷媒蒸気を吸収剤で吸収して混合物を形成する工程と、
（ｂ）前記混合物を加熱して、冷媒を蒸気形態で前記吸収剤から分離すると共に、前記冷媒蒸気の圧力を高める工程と、
（ｃ）前記冷媒蒸気の圧力を機械的にさらに高める工程と、
（ｄ）前記冷媒蒸気を圧力下で液体に凝縮する工程と、
（ｅ）前記液体冷媒の圧力を低下させると共に、前記冷媒を気化させて冷媒蒸気を形成する工程と、
（ｆ）工程（ａ）を繰り返して、前記冷媒蒸気を前記吸収剤で再吸収する工程と、
を含むことを特徴とする物体、媒体または空間の温度を調節するための方法。
２７．
工程（ｄ）において、前記冷媒蒸気が前記物体、媒体または空間に近接して液体に凝縮され、もって前記物体、媒体または空間が加熱されることを特徴とする前記２６．に記載の方法。
２８．
工程（ｅ）において、液体冷媒が前記物体、媒体または空間に近接して気化されて冷媒蒸気が形成され、もって前記物体、媒体または空間が冷却されることを特徴とする前記２６．に記載の方法。
２９．
工程（ｂ）において冷媒から分離された前記吸収剤が、その後の工程において使用するために再循環されることを特徴とする前記２３．または２６．に記載の方法。
３０．
前記冷媒が、ヒドロフルオロカーボン、ヒドロクロロフルオロカーボン、クロロフルオロカーボン、フルオロカーボン、Ｎ２、Ｏ２、ＣＯ２、ＮＨ３、Ａｒ、Ｈ２、Ｈ２Ｏ、および非フッ素化炭化水素からなる群の１種または複数種の構成要素を含み、前記非フッ素化炭化水素は、Ｃ１〜Ｃ４直鎖、分枝鎖または環状アルカンおよびＣ１〜Ｃ４直鎖、分枝鎖または環状アルケンからなる群から選択されることを特徴とする前記２３．または２６．に記載の方法。
３１．
前記吸収剤が１種または複数種のイオン性液体を含むことを特徴とする前記２３．または２６．に記載の方法。
３２．
前記吸収剤が１種または複数種のイオン性液体を含むことを特徴とする前記３０．に記載の方法。